(57)【特許請求の範囲】
【請求項１】
頭部範囲の外科的処置に関連して頭部（６）を磁気共鳴検査するための頭部アンテナであって、頭部（６）を受容するために形成された検査用空間（４）及び該検査用空間を検査位置で包囲する、枠形アンテナとして形成されたアンテナ導体（２）を有する形式のものにおいて、アンテナ導体（２）が２つの円弧状の部分導体（８，１０）に分けられており、該部分導体がそれぞれ端部（１２）に互いに電気的に接続するための電気接点（１４）を有しており、かつ第１の部分導体（８）が、非導電性で非強磁性の材料から成る、検査用空間（４）の外側に配置された固定部（１６）に取り付けられており、かつ該固定部（１６）に、これを患者横臥装置（２２）に固定するための第１の固定手段（２０）が配置されており、かつ固定部（１６）に、頭部（６）を固定するための第２の固定手段（２４）が配置されていることを特徴とする、磁気共鳴検査用の頭部アンテナ。
【請求項２】
第２の固定手段（２４）が骨ねじ（２８）を含んでおり、該骨ねじが固定部（１６）の相応するねじ孔（２６）内に配置されていることを特徴とする、請求項１記載の頭部アンテナ。
【請求項３】
第２の部分導体（１０）が滅菌可能なプラスチックにより被覆されていることを特徴とする、請求項１又は２記載の頭部アンテナ。
【請求項４】
第２の部分導体（１０）がフレキシブルに形成されていることを特徴とする、請求項１から３までのいずれか１項記載の頭部アンテナ。
【請求項５】
枠形アンテナ（２）が患者横臥装置（２２）に対して垂直に向けられていることを特徴とする、請求項１から４までのいずれか１項記載の頭部アンテナ。
【請求項６】
枠形アンテナ（２）が楕円形に形成されていることを特徴とする、請求項１から５までのいずれか１項記載の頭部アンテナ。
【請求項７】
固定部（１６）が円弧状に形成されていることを特徴とする、請求項１から６までのいずれか１項記載の頭部アンテナ。
【請求項８】
第１の部分導体（８）が固定部（１６）の少なくとも一方の側面（１８）に配置されていることを特徴とする、請求項７記載の頭部アンテナ。
【請求項９】
固定部（１６）が患者横臥装置（２２）に対して垂直に向けられていることを特徴とする、請求項１から８までのいずれか１項記載の頭部アンテナ。
【請求項１０】
固定部（１６）が環状に形成されていてかつ検査用空間（４）を取り囲んでいることを特徴とする、請求項１から６までのいずれか１項記載の頭部アンテナ。
【請求項１１】
固定部（１６）が患者横臥装置（２２）に対して斜めに向けられていることを特徴とする、請求項１０記載の頭部アンテナ。
【請求項１２】
固定部（１６）に円弧状保持体（３４）が配置されていることを特徴とする、請求項１から１１までのいずれか１項記載の頭部アンテナ。
【請求項１３】
部分導体（８，１０）がそれぞれ半割リングとして形成されていることを特徴とする、請求項１から１２までのいずれか１項記載の頭部アンテナ。
【発明の詳細な説明】
【０００１】
【発明の属する技術分野】
本発明は、頭部範囲の外科的処置に関連して頭部を磁気共鳴検査するための頭部アンテナであって、頭部を受容するために形成された検査用空間及び該検査用空間を検査位置で包囲する、枠形アンテナとして形成されたアンテナ導体を有する形式のものに関する。
【０００２】
【従来の技術】
上に記載した形式の頭部アンテナはＤＥ−Ａ−４３１８１３４号明細書により公知である。この頭部アンテナは枠形アンテナとして形成されたアンテナ導体を含んでいる。患者横臥装置上に患者頭部が支持された後、垂直に向けられた枠形アンテナが患者横臥装置に対して平行に、患者頭部が検査用空間内に位置するようになるところまで、移動せしめられる。
【０００３】
殊に神経外科手術中に磁気共鳴検査を行う場合には、手術中患者頭部の位置が変化しないようにするため及び特に開頭手術中に発生する力が吸収されるようにするために、頭部を安定に固定することが必要である。従って神経外科的手術では、頭部を固定するための固定手段を含む頭部固定装置が使用される。磁気共鳴検査に関連しても使用することができる頭部固定手段は記事、D.G.T. Thomas,C.H.Davis,S. Ingram,J.S. Olney,G.M. Bydder,I.R.Young: “Stereotaxis Biopsy of the Brain  under MR Imaging Control”,AJNR 7:161-163,January/February 1986,に記載されている。固定装置は非強磁性体材料から製作されている。さらに固定装置フレームには、渦電流をす生じることがある閉じた金属のループは使用されていない。さらに磁気共鳴画像中に視認可能なマークが頭部固定部に取り付けられ、これによってアンテナに対する磁気共鳴画像の正確な位置付けが可能になっている。本来の手術の前に磁気共鳴画像をうるため受信アンテナが固定部の周囲に配置されている。この受信アンテナの検査用空間は通常の頭部アンテナのそれよりも大きい。それというのは該空間内には頭部の他、頭部固定部を設けなければならないからである。従って充填係数及び信号−雑音比が通常の頭部アンテナよりも悪くなる。また手術中の使用にさいしては固定部の取り扱いが、固定部への手等の接近可能性及び無菌の手術環境の要求に基づき、難しくなる。
【０００４】
【発明が解決しようとする課題】
本発明の課題は、神経外科的手術に関連して患者頭部の安定した固定を保証する頭部アンテナを提供することにある。
【０００５】
【課題を解決するための手段】
この課題は本発明によれば、アンテナ導体が２つの円弧状の部分導体に分けられており、該部分導体がそれぞれ端部に互いに電気的に接続するための電気接点を有しており、かつ第１の部分導体が、非導電性で非強磁性の材料から成る、検査用空間の外側に配置された固定部に取り付けられており、かつ該固定部に、これを患者横臥装置に固定するための第１の固定手段が配置されており、かつ固定部に、頭部を固定するための第２の固定手段が配置されていることによって、解決されている。
【０００６】
【発明の効果】
全神経外科的手術中患者の頭部は固定部内に安定して固定されている。外科手術中第２の部分導体は取り除かれ、従って患者への手術者の接近性は妨げられない。手術中に磁気共鳴−受信が必要な場合には、手術を中断し、定置の第１の部分導体上に第２の部分導体を差しはめる。これにより枠形アンテナが完成され、患者の頭部が最高の画像品質で磁気共鳴−設備において検査される。次いで上側の部分導体が再び取り除かれ、手術の進行が可能になる。
【０００７】
有利な一構成によれば、第２の部分導体が滅菌可能なプラスチックによって被覆されている。これにより頭部アンテナは付加的な保護手段、例えば無菌の布で覆う等の処置なしに使用することができる。
【０００８】
別の有利な一構成によれば、第２の部分導体がフレキシブルに形成されている。これにより第２の部分導体は特に容易に差しはめ及び引き外し可能になりかつまた解剖にも適する。
【０００９】
特に有利な一構成によれば、第１の部分導体が固定部の少なくとも一方の側面に配置されている。固定部と部分導体とのこのような構造ユニットにより頭部アンテナは簡単な構造になりかつ取り扱い易くなる。
【００１０】
さらに別の有利な一構成によれば、固定部がリング状に形成されていて検査用空間を取り囲んでいる。固定部のこのような構成によれば、僅かな材料消費と共に特に高い強度と安定性がえられる。
【００１１】
別の有利な一構成によれば、固定部に保持リングが配置されており、この保持リングに、例えばスパチュラ等の手術用器具を取り付けることができる。
【００１２】
【発明の実施の形態】
図１に軸方向から見て示されている頭部アンテナは、患者縦軸線に対して垂直に、例えば鉛直に向けられた主磁界を有する磁気共鳴装置に使用される。頭部アンテナは単数又は複数のコイルを有する枠形アンテナとして形成されたアンテナ導体２を含んでいる。アンテナ導体２は、磁気共鳴検査に適する検査位置で、横断面が円形又は楕円形の検査空間４を取り囲み、該空間４は、患者の頭部６を受容することができる大きさに形成されている。枠形アンテナはこのために有利には楕円体に形成されている。外科的処置を行うための接近可能性を損なわないようにするため、アンテナ導体２は２つの、ほぼ同じ大きさの円弧状の部分導体８及び１０に分割されており、これらは互いに電気的接続のために、これらの端部１２に金メッキされた電気接点１４を有している。換言すれば、両部分導体８，１０はそれぞれ実質的にリング半部として形成されている。第１の部分導体８はやはり円弧状に、検査空間４を中心にしてその周囲に配置されている固定部１６に、それも該固定部１６の両側面１８に固定されている。
【００１３】
固定部１６は、機械的に高い負荷に耐える、非導電性で非強磁性体の、良好な高周波特性を有する材料、例えばプラスチック、ガラス繊維補強プラスチック（ＧＦＫ）又はセラミックから成る。このような材料としては特に、ヌフリンゲンのエンジンガ社から成形部品として入手できる高性能−ポリマ  ポリベンズイミダゾル（ＰＢＩ）が適している。
【００１４】
固定部１６はさし込み式ピンの形の第１の固定手段２０を有し、このピンで固定部１６は鉛直の方向で患者横臥装置２２に取り付けることができる。頭部６を固定するために固定部１６内に第２の固定手段２４が配置されている。この第２の固定手段２４はねじ孔２６にねじはめ可能な、滅菌可能な先端を有する骨ねじ２８を含んでいる。この骨ねじ２８は非強磁性体材料、例えばチタンから成っている。患者の頭蓋骨内へ侵入する先端又は針体は、磁気共鳴検査時に万一発生する電圧から患者を保護するために、骨ねじ２８のねじ山部分から図示されていない電気絶縁層によって電気的に絶縁されている。
【００１５】
第２の部分導体１０は有利にはフレキシブルに構成されておりかつフレキシブルの滅菌可能な、例えば前記のポリベンズイミダゾルから成るプラスチックにより被覆されている。第２の無菌の部分導体１０は頭蓋骨が開かれたときに頭部アンテナの取り扱いを著しく容易にする。第１の部分導体８も、少なくとも滅菌可能であるプラスチックによって被覆されている。
【００１６】
固定部１６に又は固定部１６内に同調−整合回路３０が設けられており、該回路にはアンテナ導体２を本来の磁気共鳴装置に接続するための接続導線３２が導かれている。
【００１７】
固定部１６にはプラスチックから成る円弧状保持体３４を若干の所定の位置に取り付けることができる。円弧状保持体３４は手術補助具、例えば皮膚スパチュラ等を保持するために役立つ。従ってこの円弧状保持体は二重矢印３５で示されているように付加的に調節可能である。
【００１８】
図２は図１の頭部アンテナの側面図である。図面から判るように、アンテナ導体２は２つの直列に接続されたコイルを含んでおり、この場合それぞれ１つのコイルが固定部１６の前側及び後ろ側の側面１８に取り付けられている。
【００１９】
図３に側面図で示されている神経外科用頭部アンテナの第２実施例では固定部１６は環状に形成されておりかつ患者横臥装置２２に対して斜めに取り付け可能である。この場合も、頭部を固定するために固定部内に第２の固定手段２４が設けられている。患者横臥装置２２への固定部１６の取り付けは台架３６を介して行われている。第１の部分導体８はこの場合図１及び２の構成とは異なって固定部１６とは別個の支持体３８に配置されており、この支持体自体は固定部１６に取り付けられかつ患者横臥装置２２に対して垂直に向けられている。
【００２０】
被覆された部分導体１０はこの実施例の場合も滅菌可能なプラスチックによって被覆されている。頭部アンテナの他の部分は少なくとも消毒可能な材料で被覆されており、又は上記部分自体が消毒可能な材料から成っている。
【図面の簡単な説明】
【図１】頭部アンテナの第１実施例を軸方向から見た図
【図２】図１の頭部アンテナの側面図
【図３】頭部アンテナの第２実施例の側面図
【符号の説明】
２  アンテナ導体、  ４  検査用空間、  ６  頭部、  ８，１０  部分導体、１２  端部、  １４  電気接点、  １６  固定部、  １８  側面、  ２０  第１の固定手段、  ２２  患者横臥装置、２４  第２の固定手段、  ２６  ねじ孔、  ２８  骨ねじ、  ３０  同調−及び又は整合回路、  ３２  接続導線、  ３４  円弧状保持体、  ３５  二重矢印、  ３６  台架、  ３８  支持体
【図１】
0003702029.tif 000002
【図２】
0003702029.tif 000003
【図３】
0003702029.tif 000004